(57)【要約】【課題】キッチンにおける作業スペースの減少の防止、水栓周りの繁雑化の防止、及び浄水器の設置作業の手間や費用の低減を図りながら、浄水能力を長期間にわたって維持して、浄水用カートリッジの交換回数を減らすことができる、浄水器を提供すること。【解決手段】原水を水栓９０から分岐部内に流入させる分岐部側流入流路３０ａと、原水を分岐部側流入流路３０ａから浄水部へ流出させる分岐流路７１と、浄水を浄水部から流入させる戻し流路７６と、原水を分岐部側流入流路３０ａから又は浄水を戻し流路から水栓へ流出させる分岐部側流出流路３０ｂとを有する分岐部と、原水を分岐部の分岐流路７１から浄水部内に流入させる浄水部側流入流路１０ａと、浄水を分岐部の戻し流路７６へ流出させる浄水部側流出流路１０ｂとを有して浄水部側流入流路１０ｂを分岐部の分岐流路７１と直接連通させるように分岐部に一体的に連結される浄水部とを具備する浄水器１Ａ。【選択図】図１
2011036813.tif 000002
【特許請求の範囲】
【請求項１】
原水を浄化して浄水とする浄水部と、原水を水栓から前記浄水部へ流出可能、且つ前記浄水部で浄化された浄水を前記水栓へ流出可能な分岐部と、を具備する浄水器であって、
前記分岐部は、原水を水栓から分岐部内に流入させる分岐部側流入流路と、原水を前記分岐部側流入流路から前記浄水部へ流出させる分岐流路と、浄水を前記浄水部から流入させる戻し流路と、原水を前記分岐部側流入流路から又は浄水を前記戻し流路から前記水栓へ流出させる分岐部側流出流路と、を有して、前記水栓に取付けられ、
前記浄水部は、原水を前記分岐部の分岐流路から浄水部内に流入させる浄水部側流入流路と、前記浄水部側流入流路から流入させた原水を浄化して浄水とし、前記浄水部に対して交換可能に設けられる浄水用カートリッジと、浄水を前記浄水用カートリッジから前記分岐部の戻し流路へ流出させる浄水部側流出流路と、を有して、前記浄水部側流出流路を前記分岐部の戻し流路と直接連通させるように、前記分岐部に一体的に連結される、浄水器。
【請求項２】
前記分岐部は、前記分岐流路を複数有して、前記流入流路から前記複数の分岐流路のうち、一つの分岐流路を通じて前記浄水部へ原水を流出させ、
前記浄水部は、前記浄水部側流入流路を、前記複数の分岐流路のうち、一つの分岐流路と直接連通させるように、前記分岐部に一体的に連結される、請求項１に記載の浄水器。
【発明の詳細な説明】
【技術分野】
【０００１】
本発明は、浄水器の技術に関する。
【背景技術】
【０００２】
従来、水道管や水栓を流通する原水を浄化して浄水とする浄水器であって、前記原水を浄化する浄水部をキッチンの調理台上に配置し、前記水栓の吐出口から前記浄水部で浄化した浄水を吐出する、据置き型浄水器は知られている。例えば、特許文献１に示す如くである。
【０００３】
また、水道管や水栓を流通する原水を浄化して浄水とする浄水器であって、前記原水を浄化する浄水部をキッチンにおけるシンク下のスペースに配置し、前記水栓とは別体の専用水栓をキッチンにおけるシンク上の縁部に配置して、当該専用水栓の吐出口から前記浄水部で浄化した浄水を吐出する、ビルトイン型浄水器は知られている。例えば、特許文献２に示す如くである。
【０００４】
また、水栓を流通する原水を浄化して浄水とする浄水器であって、前記原水を浄化する浄水部を前記水栓におけるスパウト内に配置して、前記浄水部で浄化した浄水を前記水栓の吐出口から吐出する、スパウト内蔵型浄水器は知られている。例えば、特許文献３に示す如くである。
【先行技術文献】
【特許文献】
【０００５】
【特許文献１】特開２００８−１１０３２７号公報
【特許文献２】特開２００２−１３１２号公報
【特許文献３】特開２００１−１６９９５３号公報
【発明の概要】
【発明が解決しようとする課題】
【０００６】
しかしながら、前記据置き型浄水器では、原水を浄化する浄水部はキッチンの調理台上に配置され、また、水栓の給水路等から浄水部に原水を流入させるホースと、当該浄水部から浄水を水栓に流入させるホースとを要するため、キッチンの調理台上における作業スペースが減少し、また、水栓周りが繁雑な状態となる。
【０００７】
また、ビルトイン型浄水器では、これの原水を浄化する浄水部、及び、前記水栓とは別体の専用水栓を取付ける際の手間や取付け費用を要する。
【０００８】
さらに、スパウト内蔵型浄水器では、前記浄水部がスパウトに内蔵されることから、当該浄水部が備える浄水用カートリッジの大きさは据置き型浄水器やビルトイン型浄水器が備える浄水用カートリッジの大きさに比べて小さく、その浄水容量が制限される。このため、当該スパウト内蔵型浄水器では、前記浄水部が備える浄水用カートリッジの浄水能力が低く、また、当該浄水用カートリッジの交換を頻繁に行う必要がある。
【０００９】
本発明は、以上の如き状況に鑑みてなされたものであり、キッチンにおける作業スペースの減少の防止、水栓周りの繁雑化の防止、及び浄水器の設置作業の手間や費用の低減を図りながら、浄水能力を長期間にわたって維持して、浄水用カートリッジの交換回数を減らすことができる、浄水器を提供することを課題とする。
【課題を解決するための手段】
【００１０】
本発明の解決しようとする課題は以上の如くであり、次にこの課題を解決するための手段を説明する。
【００１１】
即ち、請求項１においては、原水を浄化して浄水とする浄水部と、原水を水栓から前記浄水部へ流出可能、且つ前記浄水部で浄化された浄水を前記水栓へ流出可能な分岐部と、を具備する浄水器であって、前記分岐部は、原水を水栓から分岐部内に流入させる分岐部側流入流路と、原水を前記分岐部側流入流路から前記浄水部へ流出させる分岐流路と、浄水を前記浄水部から流入させる戻し流路と、原水を前記分岐部側流入流路から又は浄水を前記戻し流路から前記水栓へ流出させる分岐部側流出流路と、を有して、前記水栓に取付けられ、前記浄水部は、原水を前記分岐部の分岐流路から浄水部内に流入させる浄水部側流入流路と、前記浄水部側流入流路から流入させた原水を浄化して浄水とし、前記浄水部に対して交換可能に設けられる浄水用カートリッジと、浄水を前記浄水用カートリッジから前記分岐部の戻し流路へ流出させる浄水部側流出流路と、を有して、前記浄水部側流出流路を前記分岐部の戻し流路と直接連通させるように、前記分岐部に一体的に連結されるのである。
【００１２】
請求項２においては、前記分岐部は、前記分岐流路を複数有して、前記流入流路から前記複数の分岐流路のうち、一つの分岐流路を通じて前記浄水部へ原水を流出させ、前記浄水部は、前記浄水部側流入流路を、前記複数の分岐流路のうち、一つの分岐流路と直接連通させるように、前記分岐部に一体的に連結されるものである。
【発明の効果】
【００１３】
本発明の効果として、以下に示すような効果を奏する。
【００１４】
即ち、本発明によれば、キッチンにおける作業スペースの減少の防止、水栓周りの繁雑化の防止、及び浄水器の設置作業の手間や費用の低減を図りながら、浄水能力を長期間にわたって維持して、浄水用カートリッジの交換回数を減らすことができる、浄水器を提供することができる。
【図面の簡単な説明】
【００１５】
【図１】本発明の第一実施形態に係る浄水器の全体的な構成を示した側面縮小図。
【図２】本発明の第一実施形態に係る浄水器の全体的な構成を示した正面縮小図。
【図３】本発明の第一実施形態に係る浄水器の浄水部の側面断面図。
【図４】本発明の第一実施形態に係る浄水器の浄水部の正面断面図。
【図５】（ａ）本発明の第一実施形態に係る浄水器の分岐部の平面図、（ｂ）本発明の第一実施形態に係る浄水器の分岐部におけるソケットの平面図。
【図６】本発明の第一実施形態に係る浄水器の分岐栓の側面断面図。
【図７】本発明の第一実施形態に係る浄水器の分岐栓の正面断面図。
【図８】本発明の第一実施形態に係る浄水器の分岐栓のＡ−Ａ断面図。
【図９】本発明の第一実施形態に係る浄水器の側面断面図。
【図１０】本発明の第二実施形態に係る浄水器の全体的な構成を示した側面縮小図。
【図１１】本発明の第二実施形態に係る浄水器の全体的な構成を示した側面縮小図。
【図１２】本発明の第二実施形態に係る浄水器の全体的な構成を示した正面縮小図。
【図１３】本発明の第二実施形態に係る浄水器の分岐部の平面図。
【図１４】本発明の第二実施形態に係る浄水器の分岐部の側面断面図。
【図１５】本発明の第二実施形態に係る浄水器の分岐部のＢ−Ｂ断面図。
【発明を実施するための形態】
【００１６】
次に、本発明の第一実施形態に係る浄水器１Ａについて、図１から図９を用いて説明する。
図１及び図２に示す如く、浄水器１Ａは、浄水部と分岐部とを具備する。
【００１７】
浄水器１Ａにおける浄水部は、原水を浄化して浄水とするものであり、浄水装置１０によって構成される。
浄水装置１０は、図３から図４に示す如く、筐体１１と、浄水用カートリッジ１８と、浄水部側流入流路１０ａと、浄水部側流出流路１０ｂとを有する。
浄水装置１０の筐体１１は、樹脂素材からなる部材であり、上下方向を軸心方向とする有底筒状に形成されている。浄水装置１０の筐体１１における上方の開口部の内周面には、雌ネジが形成されている。
筐体１１の前下方部には、この外周面から内周面に（筐体１１の軸心と垂直方向に）貫通して開口する側面開口１２が形成されている。側面開口１２が形成された筐体１１の前下方部には、当該側面開口１２が貫通する方向と一致するようにして筐体１１の外周面から前方に突出する筒状の突出部１３が形成されている。また、浄水装置１０の筐体１１の突出部１３における内径は、筐体１１における前下方部の側面開口１２の径よりも若干大きく形成されている。筐体１１の突出部１３の内周面には雌ネジが形成されている。
【００１８】
筐体１１の突出部１３には、浄水器１Ａにおける分岐部に接続される第一接続部材２０が設けられる。第一接続部材２０は、挿入部材２１と、ナット部材２２とで構成される。
【００１９】
第一接続部材２０の挿入部材２１は、金属素材からなる筒状の部材である。挿入部材２１の内径は、筐体１１における前下方部の側面開口１２の径と略同一に形成されている。挿入部材２１の外径は、その一端部は、筐体１１における突出部１３に挿入して接合可能なように当該突出部１３の内径と略同一に形成されており、残りの部分（中途部及び他端部）は、筐体１１における突出部１３の内径より大きく形成されている。挿入部材２１の一端部の外周面には、雄ネジが形成されている。挿入部材２１の他端の外周面には、外側に向けて突出する環状の外凸部２１ａが形成されている。
【００２０】
第一接続部材２０のナット部材２２は、挿入部材２１における外凸部２１ａの径と略同一の内径を有し、その内周面に雌ネジが形成される、六角ナット状の部材である。ナット部材２２の一端の内周面には、内側に向けて突出する内凸部２２ａが形成されている。ナット部材２２の内凸部２２ａの径は、第一接続部材２０の挿入部材２１における中途部の外径と略同一に形成されている。
【００２１】
そして、第一接続部材２０は、挿入部材２１の一端側（外凸部２１ａが形成されていない側）が前方、ナット部材２２の他端側（内凸部２２ａが形成されていない側）が後方を向くようにして、挿入部材２１をその一端側からナット部材２２に挿入していき、挿入部材２１の外凸部２１ａとナット部材２２の内凸部２２ａとを係止させて、構成される。
このように構成された第一接続部材２０は、その挿入部材２１の一端側から筐体１１の突出部１３内にこれを挿入して、当該挿入部材２１の一端部に形成された雄ネジと筐体１１の突出部１３に形成された雌ネジとを螺合させてこれらを接合させることによって、筐体１１に設けられる。
また、このように第一接続部材２０が筐体１１に設けられることによって、第一接続部材２０における挿入部材２１内の空間は、突出部１３内の空間を介して、筐体１１内の空間と連通することとなる。
【００２２】
浄水装置１０の筐体１１の底部には、その軸心に沿って外下面から内下面に貫通して開口する下面開口１４が形成されている。
下面開口１４が形成された筐体１１の内下面には、当該下面開口１４の軸心方向と一致するようにして筐体１１の内下面から上方に突出する筒状の載置部１５が形成されている。また、筐体１１の載置部１５における内径は、筐体１１の内下面の下面開口１４における内径よりも若干大きく形成されている。
【００２３】
筐体１１の下面（底部）に形成される下面開口１４には、浄水器１Ａにおける分岐部に接続される第二接続部材２５が設けられる。
第二接続部材２５は、金属素材からなる部材であり、円柱部２６と六角部２７とを有する。第二接続部材２５の円柱部２６は円柱形状に形成され、その六角部２７は六角柱形状に形成されている。そして、第二接続部材２５は、その円柱部２６と六角部２７との互いの軸心を一致させるように円柱部２６の一側面に六角部２７が一体的に設けられて構成されている。また、第二接続部材２５には、円柱部２６と六角部２７のそれぞれの軸心を貫通する貫通孔が形成されている。
【００２４】
第二接続部材２５における円柱部２６の外径は、これを筐体１１の下面の貫通孔に挿入して接合可能なように、筐体１１の下面に形成される貫通孔の内径と略同一に構成されている。
また、第二接続部材２５における円柱部２６の軸心方向の長さは、これが筐体１１の下面の貫通孔に挿入された際に、当該円柱部２６の先端が筐体１１の載置部１５に至らないように、筐体１１の下面における厚さ方向の長さよりも短く形成される。第二接続部材２５における円柱部２６の外周面には、雄ネジが形成されている。
【００２５】
そして、このように構成された第二接続部材２５は、その円柱部２６の先端から筐体１１の下面に形成された下面開口１４にこれを挿入して、当該円柱部２６に形成された雄ネジと、浄水装置１０における筐体１１の下面に形成された雌ネジとを螺合させてこれらを接合させることによって、筐体１１に設けられる。
また、このように第二接続部材２５が筐体１１に設けられることによって、第二接続部材２５の貫通孔は、載置部１５内の空間を介して、筐体１１内の空間と連通することとなる。
【００２６】
浄水装置１０における浄水用カートリッジ１８とは、不織布や活性炭素繊維等からなる多層のフィルターからなり、浄水装置１０の筐体１１内に配置されて、これを流通する原水内の不純物（濁り成分や塩素や所定の菌類等）を除去して浄化し、当該原水を浄水とするものである。
また、浄水用カートリッジ１８は、円柱状に形成されており、その軸心方向の長さは、筐体１１の内下面から上端部までの長さから筐体１１の内下面から載置部１５の上端部までの長さを引いた長さと略同一に形成されている。浄水用カートリッジ１８は、その外径が筐体１１の内径よりも小さく構成されており、浄水用カートリッジ１８が筐体１１内に配置された際に浄水用カートリッジ１８の周面と筐体１１の内周面との間に所定の空間が形成されるように構成されている。
【００２７】
このように構成された浄水用カートリッジ１８は、その軸心と筐体１１の軸心と一致させるようにして筐体１１の載置部１５上に載置されて、筐体１１内に配置される。
このように浄水用カートリッジ１８が筐体１１内に配置されることにより、浄水用カートリッジ１８の周面と筐体１１の内周面との間に形成される所定の空間は、筐体１１の突出部１３内の空間を介して第一接続部材２０内の空間と連通することとなる。他方、このように浄水用カートリッジ１８が筐体１１内に配置されることにより、浄水用カートリッジ１８の周面と筐体１１の内周面との間に形成される所定の空間は、浄水用カートリッジ１８及び筐体１１の載置部１５内の空間を介して第二接続部材２５の貫通孔と連通することとなる。
【００２８】
浄水用カートリッジ１８の周面と筐体１１の内周面との間に形成される所定の空間と、筐体１１の突出部１３内の空間と、第一接続部材２０内の空間とで、浄水部における浄水部側流出流路１０ｂを構成する。浄水装置１０における浄水部側流出流路１０ｂとは、浄水を浄水用カートリッジ１８から分岐部の戻し流路へ流出させる流路である。
また、筐体１１の載置部１５内の空間と、第二接続部材２５の貫通孔とで、浄水部における浄水部側流入流路１０ａを構成する。浄水部における浄水部側流入流路１０ａとは、原水を分岐部の分岐流路から浄水部内（筐体１１内）に流入させる流路である。
なお、筐体１１内に配置された浄水用カートリッジ１８は、その浄水能力が低下した際には、新たな浄水用カートリッジ１８と交換されるものである。つまり、浄水用カートリッジ１８は、前記浄水部に対して交換可能に設けられている。
【００２９】
蓋部材１６は、樹脂素材からなる部材であり、筐体１１における上方の開口を閉塞する部材である。蓋部材１６の上部は、筐体１１の外径と略同一の径を有する円板状に形成され、その下部は、その状部から下方に向けて突出する筒状に形成されている。
蓋部材１６の下部の外径は、筐体１１における上方の開口部に挿入して接合可能なように当該筐体１１の開口部の内径と略同一となるように形成されている。蓋部材１６の下部における上端部の外周面には、位置決め溝が形成されており、当該位置決め溝にＯリングが嵌装されている。ている。蓋部材１６の下部における上端部より下方の外周面には、雄ネジが形成されている。
このように構成された蓋部材１６は、その下部から筐体１１における上方の開口にこれを挿入して、当該蓋部材１６の下部に形成された雄ネジと、筐体１１における上方の開口部に形成された雌ネジとを螺合させてこれらを接合させることによって、筐体１１に蓋をする。そして、このように蓋部材１６で筐体１１に蓋をすることで、筐体１１における上方の開口は、蓋部材１６のＯリングによって水密的にシールされる。
また、浄水装置１０では、筐体１１の蓋を空けて（蓋部材１６と筐体１１との接合を開放して蓋部材１６を筐体１１から取除いて）、筐体１１内に配置されている浄水用カートリッジ１８を、新たな浄水用カートリッジ１８に交換することができる。
【００３０】
次に、浄水器１Ａにおける分岐部を説明する。
浄水器１Ａにおける分岐部は、水栓９０に取付けられて、原水を水栓９０から浄水部（浄水装置１０）へ流出可能、且つ浄水部（浄水装置１０）で浄化された浄水を水栓９０へ流出可能とするものであり、図５から図８に示す如く、分岐栓３０によって構成される。
【００３１】
分岐栓３０は、分岐栓本体３１と、２つの分岐部材７０・７０と、戻し部材７５と、開閉部材８０とを具備する。
【００３２】
分岐栓３０の分岐栓本体３１は、内側部材３２と外側部材３３とを具備する。
分岐栓本体３１の内側部材３２は、内筒部及び外筒部を有する二重筒状に構成される。
分岐栓本体３１の内側部材３２の外筒部は、ソケット４０によって構成される。内側部材３２のソケット４０は、金属素材からなる部材であり、上下方向を軸心方向とする略円筒状に形成される。
ソケット４０における上部の左右には、外周面から内周面へ貫通する貫通孔が、左右対称となるようにそれぞれ形成されている。つまり、ソケット４０におけるそれぞれの貫通孔は、上下方向の位置が互いに同一となるようにソケット４０に形成されている。ソケット４０におけるそれぞれの貫通孔の内周面には、雌ネジが形成されている。
なお、以下において、ソケット４０における左方の貫通孔を第一貫通孔４１と、右方の貫通孔を第二貫通孔４２と称する。
【００３３】
ソケット４０における上部（ソケット４０の上端部の直下）の前後には、ソケット４０の上端部を残した状態で外周面を面取りすることにより肉薄状にされた肉薄部４３・４３がそれぞれ形成されている。つまり、ソケット４０の上部における前後方向の外周面を２面取りすることにより、ソケット４０の肉薄部４３・４３が、互いの外面が平行且つ前後対称となるように、ソケット４０における上部の前後にそれぞれ形成されている。また、ソケット４０の肉薄部４３・４３は、第一貫通孔４１及び第二貫通孔４２よりも下方に至るまでそれぞれ形成されている。
【００３４】
ソケット４０の第一貫通孔４１及び第二貫通孔４２の下方且つ肉薄部４３の下端部よりも上方には、内周面から内側に向けて突出する環状の内凸部４４が形成されている。また、内凸部４４の内周面には位置決め溝が形成されており、当該位置決め溝にＯリング５２が嵌装されている。
なお、以下において、円筒形状のソケット４０における上下に貫通する空間のうち、内凸部４４が形成されている箇所よりも上方に位置する部分を上部空間Ｘと称する。
この上部空間Ｘが配置される部分のソケット４０には、第一貫通孔４１、第二貫通孔４２、及び、肉薄部４３・４３が形成されている。
【００３５】
ソケット４０の肉薄部４３・４３における内凸部４４形成位置よりも下方の位置には、肉薄部４３・４３の外面を内側方向へ切り欠くことにより、ソケット４０の外面から内周面へ貫通する切欠き部４５・４５が形成されている。ソケット４０の切欠き部４５・４５は、互いの外面が平行且つ前後対称となるように、ソケット４０における肉薄部４３の下端部がその外面からソケット４０の内周面に至るまでそれぞれ切欠かれて形成される。
【００３６】
ソケット４０における上下中央部（ソケット４０の切欠き部４５の直下）の外周面には位置決め溝が形成されており、当該位置決め溝にＯリング５３が嵌装されている。
また、ソケット４０におけるＯリング５３が嵌挿されている箇所の直下には、外周面から外側に向けて突出する環状の外凸部４６が形成されている。
【００３７】
ソケット４０における下端部は、その内周面及び外周面が若干広径に形成されて、その広径に形成された内部には、座金４７を介してパッキン４８が配置さている。
ソケット４０における下部（広径に形成された下端部の直上）の前後左右には、それぞれの外周面から内周面へ貫通するように貫通孔がそれぞれ形成されている。当該ソケット４０における下部の貫通孔は、水栓９０の供給流路９１へ原水又は浄水を流出するための流出口４９として構成される。
【００３８】
分岐栓本体３１の内側部材３２の内筒部は、パイプ材５０によって構成される。内側部材３２のパイプ材５０は金属素材からなる部材であり、上下方向を軸心方向とする円筒状の部材である。パイプ材５０は、その軸心方向の長さが、ソケット４０の内凸部４４からソケット４０の下端部に至る長さと略同一となるように形成される。また、パイプ材５０は、その外径がソケット４０の内凸部４４の内径と略同一となるように形成される。
【００３９】
そして、パイプ材５０は、当該パイプ材５０の軸心とソケット４０の軸心と一致させるように、パイプ材５０の上端部をソケット４０の内凸部４４（Ｏリング５２）に嵌挿させて、ソケット４０内に配置される。
このようにパイプ材５０をソケット４０内に配置することにより、分岐栓本体３１の内側部材３２は、内筒部（パイプ材５０）及び外筒部（ソケット４０）を有する二重筒状に構成される。
【００４０】
このように配置されたパイプ材５０の下方の開口は、水栓９０の供給流路９１から原水が流入するための流入口５１として構成される。
また、内側部材３２におけるパイプ材５０の内部空間は、分岐栓３０が水栓９０に取付けられた際に当該水栓９０の供給流路９１に連通する分岐栓３０の分岐部側流入流路３０ａとして構成される。つまり、分岐栓本体３１の内側部材３２の内筒部（パイプ材５０）内に分岐部側流入流路３０ａは形成される。ここで、分岐栓３０の分岐部側流入流路３０ａとは、水栓９０の供給流路９１から原水を流入口５１を介して分岐栓３０内に流入させるための流路を示す。
そして、このようにパイプ材５０がソケット４０内に配置されることにより、分岐部側流入流路３０ａ（パイプ材５０内）とソケット４０の上部空間Ｘとが連通することとなる。
【００４１】
また、このようにパイプ材５０の上端部が内凸部４４（Ｏリング５２）に嵌挿されることにより、ソケット４０の上部空間Ｘと内凸部４４より下方の空間とは、ソケット４０内において水密的にシールされている。
【００４２】
さらに、このようにパイプ材５０がソケット４０内に配置されることにより、ソケット４０の内凸部４４より下方の内面と、パイプ材５０の外面との間に、所定の空間Ｙ１が形成されている。当該所定の空間Ｙ１は、分岐栓３０の分岐部側流出流路３０ｂの一部を構成する。
【００４３】
分岐栓本体３１の外側部材３３は、ロックナット６０と、ハブ６２と、で構成される。
外側部材３３のロックナット６０は、金属素材からなる部材であり、上下方向を軸心方向とする円筒状の部材である。
ロックナット６０の内径は、内側部材３２におけるソケット４０の外凸部４６の外径と略同一に形成されている。
また、ロックナット６０の上端部には、内周面から内側に向けて突出する環状の係合部６１が形成されている。ロックナット６０の係合部６１は、内側部材３２におけるソケット４０の外凸部４６と係合可能なように、内側部材３２におけるソケット４０の外筒部の外径より小さく、且つ、ソケット４０における外凸部４６の直上の外径と略同一に形成されている。
このようにして構成された外側部材３３のロックナット６０は、その下方から内側部材３２が挿入されて、内側部材３２におけるソケット４０の外筒部とロックナット６０の係合部６１とを係合させて、配置される。
【００４４】
外側部材３３のハブ６２は、金属素材からなる部材であり、上下方向を軸心方向とする円筒状の部材である。
ハブ６２における下部の内径は、Ｏリング５３が嵌挿されている状態の内側部材３２におけるソケット４０上下中央部の外径と、略同一に形成されている。
【００４５】
ハブ６２における上部の内径は、ハブ６２の下部の内径及び内側部材３２におけるソケット４０の上端部の外径より大きい径に形成されている。
ハブ６２の上端部には、内周面から内側に向けて突出する環状の接合部６６が形成されている。さらに、ハブ６２における接合部６６の上部の周面には、位置決め溝が形成されており、当該位置決め溝にＯリング６７が嵌装されている。また、ハブ６２における接合部６６の下部の周面には、開閉部材８０の給水ハンドル機構と螺合させるための雌ネジが形成されている。
【００４６】
ハブ６２における上下中央部の左右には、外周面から内周面へ貫通する貫通孔が、左右対称となるようにそれぞれ形成されている。つまり、ハブ６２における左右のそれぞれの貫通孔は、上下方向の位置が互いに同一となるようにハブ６２に形成されている。また、ハブ６２における左右のそれぞれの貫通孔は、ハブ６２に内側部材３２を挿入してハブ６２を所定の位置に配置した際に、当該貫通孔の位置が、内側部材３２におけるソケット４０の第一貫通孔４１及び第二貫通孔４２の位置と一致するように形成されている。
【００４７】
ハブ６２における上下中央部の後方には、外周面から内周面へ貫通する貫通孔が、ハブ６２における左右のそれぞれの貫通孔と上下方向の位置が互いに同一となるように形成されている。また、ハブ６２における後方の貫通孔は、これの上下方向の位置がハブ６２に内側部材３２を挿入してハブ６２を所定の位置に配置した際に、内側部材３２におけるソケット４０の第一貫通孔４１及び第二貫通孔４２の上下方向の位置と一致するように形成されている。
また、ハブ６２における後方の貫通孔の内周面には雌ネジが形成されている。
なお、以下において、ハブ６２における左方の貫通孔を第三貫通孔６３と、右方の貫通孔を第四貫通孔６４と、後方の貫通孔を第五貫通孔６５と称する。
【００４８】
このように構成された外側部材３３のハブ６２は、ロックナット６０が配置された状態の内側部材３２がその下方から挿入されて、内側部材３２におけるソケット４０の上下中央部がハブ６２の下部に嵌挿され、ロックナット６０の上方に配置される。またこの際、ハブ６２の第三貫通孔６３とソケット４０の第一貫通孔４１とを、ハブ６２の第四貫通孔６４とソケット４０の第二貫通孔４２とを、それぞれ一致させるように、且つ、ハブ６２の第五貫通孔６５を後方に位置するようにして、ハブ６２に内側部材３２が挿入される。
なお、係る状態において、外側部材３３におけるハブ６２の上部内には、内側部材３２におけるソケット４０の上端部が配置されている。
【００４９】
このように外側部材３３のハブ６２が配置されることにより、外側部材３３におけるハブ６２の内壁と内側部材３２におけるソケット４０の上端部との間、及び、外側部材３３のハブ６２の内壁と内側部材３２のソケット４０の肉薄部４３との間には、これらの間が互いに連通する所定の空間Ｙ２が形成されている。当該所定の空間Ｙ２は、分岐栓３０の分岐部側流出流路３０ｂの一部を構成する。
また、当該所定の空間Ｙ２は、ソケット４０の内凸部４４より下方の内面とパイプ材５０の外面との間の所定の空間Ｙ１に、内側部材３２におけるソケット４０の切欠き部４５・４５を介して連通している。
そして、当該ソケット４０の切欠き部４５・４５を介して所定の空間Ｙ２と所定の空間Ｙ１とを連通することにより構成される空間は、分岐栓３０が水栓９０に取付けられた際に当該水栓９０の供給流路９１における下流側供給流路９３に連通する分岐栓３０の分岐部側流出流路３０ｂとして構成される。ここで、分岐栓３０の分岐部側流出流路３０ｂとは、分岐栓内に流入した原水を分岐部側流入流路３０ａから、又は、分岐栓３０内に流入した浄水を戻し流路７６から水栓９０にお下流側供給流路９３へ流出させる流路を示す。
以上のようにして分岐栓３０の分岐栓本体３１は構成される。
【００５０】
次に、分岐栓３０の分岐部材７０について説明する。
分岐部材７０は、金属素材からなる部材であり、分岐栓３０を浄水部（浄水装置１０）に接続するための部材である。
また、分岐部材７０は、円柱部７２と六角部７３と分岐流路７１を有する。分岐部材７０の円柱部７２は円柱形状に形成され、その六角部７３は六角柱形状に形成されている。そして、分岐部材７０は、その円柱部７２と六角部７３との互いの軸心を一致させるように円柱部７２の一側面に六角部７３が一体的に設けられて構成されている。また、分岐部材７０の分岐流路７１は、円柱部７２と六角部７３とのそれぞれの軸心を貫通するようにして形成されている。ここで、分岐部材７０の分岐流路７１とは、原水を分岐部側流入流路３０ａから浄水部（浄水装置１０）へ流出させる流路を示す。
【００５１】
また、分岐部材７０における六角部７３の各角には、雄ネジが形成されている。
分岐部材７０における円柱部７２の外径は、これを分岐栓本体３１におけるソケット４０の第一貫通孔４１又は第二貫通孔４２、及び、ハブ６２の第三貫通孔６３又は第四貫通孔６４に挿入して接合可能なように、ソケット４０の第一貫通孔４１又は第二貫通孔４２、及びハブ６２の第三貫通孔６３又は第四貫通孔６４の内径と略同一に構成されている。
また、分岐部材７０における円柱部７２の軸心方向の長さは、これが分岐栓本体３１におけるソケット４０の第一貫通孔４１又は第二貫通孔４２、及びハブ６２の第三貫通孔６３又は第四貫通孔６４に挿入された際に、当該円柱部７２の先端が、ソケット４０の上部空間Ｘに至るような長さに形成されている。
分岐部材７０における円柱部７２の外周面には、雄ネジが形成されている。分岐部材７０における円柱部７２の基端の外周面には位置決め溝が形成されており、当該位置決め溝にＯリング７４が嵌装されている。
【００５２】
そして、このように構成された分岐部材７０・７０は、ハブ６２の第三貫通孔６３とソケット４０の第一貫通孔４１、及び、ハブ６２の第四貫通孔６４とソケット４０の第二貫通孔４２に、その円柱部７２・７２の先端からソケット４０の挿入方向と交差する方向にこれを挿入して、当該円柱部７２・７２の外周面に形成された雄ネジと、ソケット４０の第一貫通孔４１及び第二貫通孔４２の内周面に形成された雌ネジとを螺合させてこれらを接合させることによって、分岐栓本体３１に固定される。この場合、分岐部材７０・７０の雄ネジと、ソケット４０の第一貫通孔４１及び第二貫通孔４２の雌ネジとの間は、Ｏリング７４・７４や接着剤等のシール材を介装する等して水密的にシールされる。
また、このようにして分岐部材７０が分岐栓本体３１に固定されることによって、分岐栓本体３１の内側部材３２は外側部材３３に挿入された状態で固定されることとなる。
【００５３】
このように分岐部材７０・７０が分岐栓本体３１に固定された状態において、分岐部材７０・７０の分岐流路７１・７１は、分岐栓本体３１におけるソケット４０の上部空間Ｘと連通している。つまり、係る状態において、分岐部材７０の分岐流路７１は、ソケット４０の上部空間Ｘを介して、分岐栓３０の分岐部側流入流路３０ａと連通している。
【００５４】
なお、分岐部材７０における円柱部７２の軸心方向の長さは、これが分岐栓本体３１におけるソケット４０の第一貫通孔４１又は第二貫通孔４２、及びハブ６２の第三貫通孔６３又は第四貫通孔６４に挿入された際に、当該円柱部７２の先端がソケット４０の第一貫通孔４１又は第二貫通孔４２に至って、当該円柱部７２とソケット４０の第一貫通孔４１又は第二貫通孔４２とが螺合できるような長さであればよいものとする。
【００５５】
次に、分岐栓３０の戻し部材７５について説明する。
戻し部材７５は、金属素材からなる部材であり、浄水部（浄水装置１０）に接続するための部材である。
また、戻し部材７５は、円柱部７７と六角部７８と戻し流路７６とを有する。戻し部材７５の円柱部７７は円柱形状に形成され、その六角部７８は六角柱形状に形成されている。そして、戻し部材７５は、その円柱部７７と六角部７８との互いの軸心を一致させるように円柱部７７の一側面に六角部７８が一体的に設けられて構成されている。また、戻し部材７５の戻し流路７６は、円柱部７７と六角部７８とのそれぞれの軸心を貫通するようにして形成されている。ここで、戻し部材７５の戻し流路７６とは、浄水部（浄水装置１０）で浄化された浄水を浄水部（浄水装置１０）から分岐栓３０内に流入させる流路を示す。
【００５６】
戻し部材７５における六角部７８のこれを軸心方向からみた際の外接円の径は、六角部７８を浄水装置１０における第一接続部材２０のナット部材２２に挿入して接合可能なように、浄水装置１０におけるナット部材２２の内径と略同一に形成されている。また、戻し部材７５における六角部７８の各角には、雄ネジが形成されている。
【００５７】
戻し流路７６における円柱部７７の外径は、これを分岐栓本体３１におけるハブ６２の第五貫通孔６５に挿入して接合可能なように、ハブ６２の第五貫通孔６５の内径と略同一に構成されている。
また、戻し部材７５における円柱部７７の軸心方向の長さは、これが分岐栓本体３１におけるハブ６２の第五貫通孔６５に挿入された際に、当該円柱部７７の先端が、分岐栓３０の分岐部側流出流路３０ｂ（分岐栓本体３１の空間Ｙ２）に至るような長さに形成されている。
戻し部材７５における円柱部７７の外周面には、雄ネジが形成されている。
【００５８】
そして、このように構成された戻し部材７５は、ソケット４０の第五貫通孔６５に、その円柱部７７の先端からソケット４０の挿入方向と交差する方向にこれを挿入して、当該円柱部７７の外周面に形成された雄ネジと、ソケット４０の第五貫通の内周面に形成された雌ネジとを螺合させてこれらを接合させることによって、分岐栓本体３１に固定される。この場合、分岐部材７０の雄ネジと、ソケット４０の第一貫通孔４１及び第二貫通孔４２の雌ネジとの間は、接着剤等のシール材を介装する等して水密的にシールされる。
また、このように戻し部材７５が分岐栓本体３１に固定された状態において、戻し部材７５の戻し流路７６は、分岐栓３０の分岐部側流出流路３０ｂと連通している。
【００５９】
次に、分岐栓３０の開閉部材８０について説明する。
開閉部材８０は、分岐栓本体３１内に配置されて分岐栓３０の分岐部側流入流路３０ａと分岐部側流出流路３０ｂとの連通を開閉するための部材である。
【００６０】
開閉部材８０には、その下面から側面に向けて貫通し、且つその連通を開閉可能に構成される開閉流路８１が形成されている。
また、開閉部材８０には、これに開閉流路８１が形成されることにより、その下面に下面開口８２、及び、その側面に側面開口８３が各々形成されている。開閉部材８０の下面開口８２は、開閉部材８０が分岐栓本体３１に配置された際に、開閉部材８０の開閉流路８１と分岐栓３０の分岐部側流入流路３０ａとが当該下面開口８２を介して連通する位置に形成されている。また、開閉部材８０の側面開口８３は、開閉部材８０が分岐栓本体３１に配置された際に、開閉部材８０の開閉流路８１と分岐栓３０の分岐部側流出流路３０ｂとが当該側面開口８３を介して連通する位置に形成されている。
【００６１】
開閉部材８０は、これの上面から上方に突出するボス（不図示）を周方向に回動することによって開閉流路８１の開閉が行われるように構成されている。詳細には、開閉部材８０は、前記ボスを平面視で時計回りに回動させた場合にはこれの開閉流路８１が閉状態となり、前記ボスを反時計回りに回動させた場合にはこれの開閉流路８１が開状態となるように構成されている。
【００６２】
このようにして構成された開閉部材８０は、分岐栓本体３１におけるソケット４０の上方に載置することによりハブ６２の上部内に配置される。係る状態において、開閉部材８０の開閉流路８１は、これが開状態の場合において、開閉部材８０の下面開口８２と分岐栓本体３１の上部空間Ｘを介して、分岐栓３０の分岐部側流入流路３０ａと連通している。また、係る状態において、開閉部材８０の開閉流路８１は、これが開状態の場合において、開閉部材８０の側面開口８３を介して、分岐栓３０の分岐部側流出流路３０ｂ（分岐栓本体３１の空間Ｙ２）と連通している。
つまり、このように開閉部材８０が分岐栓本体３１に配置されることにより、開閉部材８０の開閉流路８１が開状態の場合において、分岐栓３０の分岐部側流入流路３０ａと分岐部側流出流路３０ｂとは、当該開閉流路８１を介して連通していることとなる。
他方、このように開閉部材８０が分岐栓本体３１に配置されることにより、開閉部材８０の開閉流路８１が閉状態の場合において、分岐栓３０の分岐部側流入流路３０ａと分岐部側流出流路３０ｂとは、当該開閉流路８１によって連通が遮断されている。
【００６３】
また、開閉部材８０の上方には、開閉部材８０を分岐栓本体３１に固定する固定部材８４を設け、さらに固定部材８４より上方に突出するようにして開閉部材８０のボスに連動する操作部材８５が設けられている。
当該固定部材８４の下端の外径は、分岐栓本体３１におけるハブ６２の上方の開口に挿入して接合可能なように、当該ハブ６２における上方の開口の内径と略同一に形成されている。また、当該固定部材８４の下端の外周面には雄ネジが形成されている。
そして、固定部材８４に形成された雄ネジと分岐栓本体３１におけるハブ６２の上方の開口に形成された雌ネジとを螺合させることによって固定部材８４と分岐栓本体３１とを接合させている。また、このように固定部材８４と分岐栓本体３１とを接合させることによって、開閉部材８０は下方に押圧されて分岐栓本体３１に固定されている。この場合、固定部材８４の雄ネジと、ハブ６２における上方の開口の雌ネジとの間は、接着剤等のシール材を介装する等して水密的にシールされる。また、固定部材８４と、ハブ６２における上方の開口との間は、ハブ６２における上方の開口のＯリング６７によっても水密的にシールされる。
【００６４】
開閉部材８０のボスに連動する操作部材８５には、当該操作部材８５及び固定部材８４を覆うようにして、ハンドル８６が固定して設けられている。そして、分岐栓３０は、操作部材８５に取付けられたハンドル８６を周方向に回動させることにより、操作部材８５を介して開閉部材８０のボスが回動し、開閉部材８０の開閉流路８１が開閉するように構成されている。
【００６５】
以上のようにして浄水装置１０と分岐栓３０とは構成される。
そして、浄水器１Ａでは、浄水装置１０（浄水部）が、その浄水部側流出流路１０ｂを分岐栓３０（分岐部）の戻し流路７６と直接連通させるように、分岐栓３０（分岐部）に一体的に連結される（図１及び図９参照）。
詳細には、浄水装置１０（浄水部）は、その第一接続部材２０のナット部材２２に形成された雌ネジと、分岐栓３０（分岐部）における戻し部材７５の六角部７８に形成された雄ネジとを螺合させてこれらを接合させることによって、分岐栓３０（分岐部）に一体的に連結される。このように浄水装置１０（浄水部）における第一接続部材２０のナット部材２２と分岐栓３０（分岐部）における戻し部材７５の六角部７８とを接合させることによって、浄水器１Ａでは、浄水装置１０（浄水部）の浄水部側流出流路１０ｂと、分岐栓３０（分岐部）の戻し流路７６とが直接連通することとなる。そして、このように浄水装置１０（浄水部）における第一接続部材２０のナット部材２２と分岐栓３０（分岐部）における戻し部材７５の六角部７８とを接合させることによって、浄水器１Ａでは、浄水装置１０（浄水部）の浄水部側流出流路１０ｂと分岐栓３０（分岐部）の分岐部側流入流路３０ａとが、分岐栓３０（分岐部）の戻し流路７６を介して連通することとなる。
【００６６】
また、浄水器１Ａでは、浄水装置１０（浄水部）における第二接続部材２５の六角部２７に形成された雄ネジと、ホース３の一端のナットに形成された雌ネジとを螺合させることによってこれらを接合させている（図１参照）。
他方、分岐栓３０（分岐部）における２つの分岐部材７０・７０（複数の分岐部材７０）のうち図２に示す側面図において左方の分岐部材７０の六角部７３に形成された雄ネジと、ホース３の他端に備えられた分岐コック２のナットに形成された雌ネジとを螺合させることによってこれらを接合させている。即ち、浄水器１Ａでは、浄水装置１０（浄水部）と分岐栓３０（分岐部）とは、分岐コック２及びホース３を介して互いに接続されている。
このように浄水装置１０（浄水部）と分岐栓３０（分岐部）とが分岐コック２及びホース３を介して接続されることにより、浄水器１Ａでは、浄水装置１０（浄水部）の浄水部側流入流路１０ａと分岐栓３０（分岐部）の分岐部側流出流路３０ｂとが、分岐栓３０（分岐部）の分岐流路７１、分岐コック２、及びホース３を介して連通することとなる。
【００６７】
また、分岐栓３０（分岐部）における２つの分岐部材７０・７０（複数の分岐部材７０）のうち図２に側面図において右方の分岐部材７０のように、分岐部材７０に外部接続機器を接続しないような場合には、盲栓などの蓋部材７９を用いて、当該分岐部材７０における分岐流路７１の六角部７３側の開口部分を閉塞することが可能である。具体的には、蓋部材７９は、分岐部材７０における六角部７３の外接線と略同一の内径を備える椀形状の部材である。また、蓋部材６０の外周面は六角ナット形状に形成され、また、蓋部材６０の内周面は雌ネジが形成されている。そして、蓋部材７９の内部に、水漏れ防止用の環状のパッキンを設け、当該分岐部材７０の六角部７３に形成された雄ネジと、蓋部材７９に形成された雌ネジとを螺合させる。このようにして、分岐流路７１の六角部７３側の開口部分を閉塞して、当該開口部分から原水等が誤流出することを防止することができる。
なお、蓋部材７９は、これを用いて戻し部材７５における六角部７８側の開口部分を閉塞することもできる（図１及び図２参照）。
【００６８】
以上のようにして構成された浄水器１Ａは、図９に示す如く、分岐栓３０の分岐部材７０・７０が左右方向にそれぞれ延出するように且つ浄水装置１０が分岐栓３０の後方に位置するように、分岐栓３０の流入口５１（パイプ材５０の下方の開口）を水栓９０の取付け口９４ａの開口から挿入して、パイプ材５０の下端部（パッキン４８）をシート部９６に当接させ、分岐栓３０のロックナット６０の内周面に形成された雌ネジと、水栓９０の取付け口９４ａの外周面に形成された雄ネジを螺合させることによって、水栓９０の取付け口９４ａに固定されて取付けられる。
【００６９】
このように水栓９０に取付けられた浄水器１Ａでは、浄水器１Ａにおける分岐栓３０の分岐部側流入流路３０ａはこれの流入口５１を介して水栓９０の上流側供給流路９２と連通し、他方、分岐部側流出流路３０ｂはこれの流出口４９を介して水栓９０の下流側供給流路９３と連通することとなる。
【００７０】
ここで、水栓９０の供給流路９１とは、水道管やボイラ等からの湯又は水からなる原水を水栓９０の吐出口９５へ流通させて給水するための流路であり、水道管やボイラ及び取付け口９４ａに連通する上流側供給流路９２と、シート部９６を隔てて上流側供給流路９２より下流側に配置され吐出口９５に連通する下流側供給流路９３とから構成されている。
【００７１】
このように水栓９０の取付け口９４に取付けられた浄水器１Ａでは、その分岐栓３０のハンドル８６を回動させて開閉流路８１を閉状態とするとともに、分岐部材７０に接続される分岐コック２を開状態として、水栓９０の上流側供給流路９２から浄水器１Ａにおける分岐栓３０の分岐部側流入流路３０ａに原水を流入させることができる。
そして、分岐栓３０の分岐部側流入流路３０ａに流入した原水は、分岐部材７０の分岐流路７１から流出し、分岐コック２及びホース３を介して浄水装置１０の浄水部側流入流路１０ａに流入することとなる。
また、浄水装置１０の浄水部側流入流路１０ａに流入した原水は、浄水用カートリッジ１８で浄水とされて、浄水部側流出流路１０ｂに流出し、分岐栓３０における戻し部材７５の戻し流路７６に流入することとなる。
さらに、分岐栓３０における戻し部材７５の戻し流路７６に流入した浄水は、分岐部側流出流路３０ｂに流入して、水栓９０の下流側供給流路９３へ流出し、水栓９０の吐出口９５から吐出されることなる。
【００７２】
以上のように浄水器１Ａは、浄水装置１０（浄水部）が、これの浄水部側流出流路１０ｂを分岐栓３０（分岐部）の戻し流路７６と直接連通させるように分岐栓３０（分岐部）に一体的に連結されて構成される。
このため、浄水器１Ａでは、これが水栓９０に取付けられた際には、浄水装置１０（浄水部）と分岐栓３０（分岐部）が一体となって水栓９０の近傍に配置されることとなる。また、浄水装置１０（浄水部）の浄水部側流出流路１０ｂと分岐栓３０（分岐部）の戻し流路７６とは、これらが離れて配置されていた場合に必要となるホースを要さずに連通し、浄水装置１０（浄水部）の浄水部側流入流路１０ａと分岐栓３０（分岐部）の分岐流路７１とを連通させるホースは極力短く構成されることとなる。
したがって、浄水器１Ａによれば、浄水器１Ａ（浄水装置１０及び分岐栓３０）が配置されたキッチンにおける作業スペースの減少を防止すること、及び、浄水器１Ａが取付けられて水栓９０周りが繁雑な状態となることを防止することができる。
【００７３】
また、浄水器１Ａは、浄水装置１０（浄水部）が分岐栓３０（分岐部）に一体的に連結されて構成されるため、浄水器１Ａを水栓９０に取付けるだけで浄水器１Ａの設置作業が終了することとなる。したがって、浄水器１Ａによれば、これの設置作業の手間や費用を低減させることができる。
【００７４】
浄水器１Ａでは、浄水装置１０（浄水部）と分岐栓３０（分岐部）とが具備され、その浄水装置１０（又はこれが備える浄水カートリッジ１８）が水栓９０内に配置されることなく、分岐栓３０が水栓９０に取付けられる構成である。このため、浄水器１Ａでは、浄水装置１０（浄水部）に浄水能力を高めた比較的大きな浄水用カートリッジ１８を備えることが可能となる。したがって、浄水器１Ａによれば、安定した浄水能力を長期間にわたって維持して、浄水用カートリッジ１８の交換回数を減らすことができる。
【００７５】
浄水器１Ａは、分岐栓３０の分岐部材７０・７０が左右方向に延出するように、また浄水装置１０が分岐栓３０の後方に位置するように水栓９０に取付けられる。したがって、浄水器１Ａによれば、浄水器１Ａ（浄水装置１０及び分岐栓３０）が配置されたキッチンにおける作業スペースの減少をより防止すること、及び、浄水器１Ａが取付けられて水栓９０周りが繁雑な状態となることをより防止することができる。
【００７６】
浄水器１Ａでは、浄水装置１０が水栓９０の近傍に配置されることとなるため、浄水用カートリッジ１８の交換・点検時期を容易に把握することができ、また、これの交換作業も容易に行うことができる。
【００７７】
また、浄水器１Ａでは、その分岐栓３０は、二つ（複数個）の分岐部材７０・７０、つまり、２つ（複数個）の分岐流路７１・７１を有し、その浄水装置１０（浄水部）は、浄水部側流入流路１０ａを、複数個の分岐流路７１・７１のうち一つの分岐流路７１と直接連通させるように、分岐栓３０（分岐部）に一体的に連結される。このように、分岐流路７１・７１が複数個（２つ）備えられることにより、浄水器１Ａでは、一方の分岐部材７０を浄水装置１０に接続したまま、他方の分岐部材７０に他の外部接続機器（例えば、食洗機）を増設して、当該他方の分岐部材７０の分岐流路７１と当該他の外部接続機器とを連通させることができ、浄水器１Ａの使い勝手を向上させ、利便性を向上させることがでる。
【００７８】
また、浄水器１Ａでは、その分岐栓３０のハンドル８６を回動させて開閉流路８１を開状態とした際に、分岐部材７０に接続される分岐コック２を閉状態とすることで、分岐栓３０の分岐部側流入流路３０ａに流入した原水を、分岐部材７０の分岐流路７１から流出させずに、分岐部側流出流路３０ｂに流出させ、水栓９０の吐出口９５から吐出させることができる。即ち、浄水器１Ａでは、分岐栓３０の分岐部側流入流路３０ａに流入した原水を、浄水装置１０に流入させないで、原水の状態で水栓９０の吐出口９５から吐出させることがでる。
したがって、浄水器１Ａによれば、使用用途によって原水か浄水かを選択してこれを水栓９０の吐出口９５から吐出させることができ、ひいては浄水カートリッジ１８の交換回数を減らすことがでる。
さらに、浄水器１Ａによれば、仮に浄水用カートリッジ１８の交換時期が過ぎている場合であっても、浄水カートリッジ１８を経由することなく、原水を水栓９０の吐出口９５から吐出することができるため、水栓９０の吐出口９５から吐出される原水の衛生状態を保持することができる。
【００７９】
なお、分岐栓３０の分岐部材７０・７０が左右方向に延出するように且つ浄水装置１０が分岐栓の後方に位置するように、浄水器１Ａが水栓９０に取付けられることに特に限定するものではない。
【００８０】
次に、本発明に係る浄水器の第二実施形態について、図１０から図１５を用いて説明する。なお、第二実施形態に係る浄水器１Ｂは、第一実施形態に係る浄水器１Ａと同様の構成を有する部分があるため、本実施形態に係る浄水器１Ｂの説明は、浄水器１Ａと同様の構成の部分については適宜省略し、浄水器１Ａの構成と異なる部分を中心に説明する。
【００８１】
浄水器１Ｂにおける分岐部は、図１０に示す如く、混合水栓１９０における混合水栓本体１９１とカートリッジ１９２との間に配置されて混合水栓１９０に取付けられ、湯又は水からなる原水を混合水栓１９０から浄水部（浄水装置１０）へ流出可能、且つ浄水部（浄水装置１０）で浄化された浄水を混合水栓１９０へ流出可能とするものであり、分岐栓１３０によって構成される。
【００８２】
なお、一般に、通常の使用状態における混合水栓１９０は、台所の流し台に混合水栓本体１９１が固定して設けられ、当該混合水栓本体１９１の上部にはカートリッジ１９２とカバーナット１９３とハンドルレバー１９５とが配置されて構成されている。混合水栓本体１９１内には、ボイラ等と接続される湯側流路管と、水道管と接続される水側流路管と、湯、水、また、湯水混合液が流通する混合流路管と、が設けられている。
分岐栓１３０が装着された混合水栓１９０においては、カートリッジ１９２と、混合水栓本体１９１の湯側流路管、水側流路管、及び混合流路管とが分岐栓１３０を介して接続されており、カートリッジ１９２により、湯側流路管及び水側流路管から供給される湯及び水の混合流路管への、吐水及び止水の切り替えや、湯及び水の吐水量の調節が行われる。
カートリッジ１９２による吐水及び止水の切り替えや、湯及び水の吐水量の調節は、ハンドルレバー１９５の操作により行われる。
混合水栓本体１９１の上下中途部の外周部には、混合流路管と連通し、前記湯水混合液等を外部に流出するための前記スパウトが設けられている。混合水栓本体１９１における上部の外周面には、雌ネジが形成されている。
【００８３】
分岐栓１３０は、図１１から図１３に示す如く、分岐栓本体１３１と、外装部材１４０と、戻し部材１７５と、２つの分岐部材１７０とを具備する。
【００８４】
図１４及び図１５に示す如く、分岐栓本体１３１は、金属素材からなる部材であり、軸心方向を上下方向とする円柱形状に形成されている。分岐栓本体１３１における上下中途部の外周面には、半径方向外側に突出する周状（フランジ状）の突部１３７が設けられている。分岐栓本体１３１には、湯側流路１３３と、水側流路１３２と、混合流路１３４と、第一横孔１３５と、第二横孔１３６とが形成され、また、分岐栓本体１３１は、第一開口部１３５ａと第二開口部１３６ａと、第二開口部１３６ｂとを備えている。
【００８５】
湯側流路１３３は、混合水栓本体１９１の前記湯側流路管に接続されており、湯側流路管から流入される湯を流通させ、カートリッジ１９２に流出させる流路である。湯側流路１３３は、分岐栓本体１３１の軸心方向に貫通され、図１３及び図１５に示す平面視において開口部が前右方に配置されるように形成されている。
水側流路１３２は、混合水栓本体１９１の前記水側流路管に接続されており、水側流路管から流入される水を流通させ、カートリッジ１９２に流出させる流路である。水側流路１３２は、分岐栓本体１３１の軸心方向に貫通され、図１３及び図１５に示す平面視において開口部が前左方に配置されるように形成されている。また、水側流路１３２の径は、湯側流路１３３より大きい径となるように形成されている。
なお、湯側流路１３３及び水側流路１３２は、分岐栓１３０の分岐部側流入流路として構成される。
【００８６】
混合流路１３４は、カートリッジ１９２から流入される、原水（湯、水、湯水混合液）又は浄水を流通させ、混合水栓本体１９１に流出させる流路である。混合流路１３４は、分岐栓本体１３１の軸心方向に貫通され、図１３及び図１５に示す平面視において開口部が後方に配置されるように形成されている。なお、混合流路１３４は、分岐栓１３０の分岐部側流出流路として構成される。
湯側流路１３３、水側流路１３２、及び、混合流路１３４のそれぞれの下端部（分岐栓本体１３１の湯側流路管、水側流路管、及び混合流路管との接続部）には、水漏れ防止用の環状のパッキンが設けられている。
【００８７】
第一横孔１３５は、混合流路１３４に連通され、浄水部（水装置１０）浄水部から戻し流路１７６を介して流入する浄水を混合流路１３４に流入させる流路である。第一横孔１３５は、分岐栓本体１３１の軸心方向に対して略直角に、岐栓本体１３１の後方の外周面から混合流路１３４まで形成されている。つまり、第一横孔１３５は、混合流路１３４と連通し且つ分岐栓本体１３１の後方の外周面に開口するように形成されている。また、第一横孔１３５の外周面近傍の径は、混合流路１３４側の径に比べて、大きい径となるように形成されている。当該第一横孔１３５における大径部分の内周面には、雌ネジが形成されている。
第一横孔１３５が、分岐栓本体１３１の後方の外周面に開口することで、分岐栓本体１３１の後方の外周面に第一開口部１３５ａが形成されている。
【００８８】
第二横孔１３６は、水側流路１３２に連通され水側流路１３２を流通する水を水側流路１３２から分岐流路１７１を介して浄水部（浄水装置１０）に分岐させる流路であり、分岐栓本体１３１に形成されている。また、第二横孔１３６は、軸心方向に対して略直角に、湯側流路１３３と混合流路１３４との間を通るように、分岐栓本体１３１の外周面を左右方向に貫通し、且つ、水側流路１３２後方と連通するように形成されている。つまり、第二横孔１３６は、水側流路１３２と連通し且つ分岐栓本体１３１の外周面に左右二箇所で開口するように形成されている。また、第二横孔１３６における外周面近傍の各々の径は、いずれも、水側流路１３２側の径に比べて、大きい径となるように形成されている。当該第二横孔１３６における大径部分の内周面には、それぞれ雌ネジが形成されている。
また、第二横孔１３６が、分岐栓本体１３１の外周面に二箇所で開口するように分岐栓本体１３１に形成されることで、分岐栓本体１３１の左方の外周面には第二開口部１３６ａが、右方の外周面には第二開口部１３６ｂがそれぞれ形成されている。また、第二開口部１３６ａと第二開口部１３６ｂと、分岐栓本体１３１の周方向において左右対称となる位置に形成されている。第一開口部１３５ａと第二開口部１３６ａと第二開口部１３６ｂとは、分岐栓本体１３１の軸心方向において、それぞれ略同一の位置に形成されている。
【００８９】
外装部材１４０は、金属素材からなる部材であって、外装本体１４１と、固定ナット１４２と、を具備している。
外装本体１４１は、その内径が、分岐栓本体１３１を収納可能なように分岐栓本体１３１の外径と略同一の、軸心方向を上下方向とする筒形状に形成されている。また、外装本体１４１における上部の外径が、下部の外径に比べて小径に形成されている。
外装本体１４１における前記下部には、内周面から外周面にわたってそれぞれ貫通する第一貫通孔１４６と第二貫通孔１４７と第三貫通孔１４８が形成されている。第一貫通孔１４６は、外装本体１４１の後方に形成されている。第二貫通孔１４７は、外装本体１４１の左方に形成されている。第三貫通孔１４８は、外装本体１４１の右方に形成されている。また、第一貫通孔１４６と第二貫通孔１４７と第三貫通孔１４８は、それぞれ上下方向において略同一の位置に形成されている。
【００９０】
固定ナット１４２は、その外径が、外装本体１４１における下部の外径と略同一の、軸心方向を上下方向とする筒状に形成されている。また、固定ナット１４２の内径は、外装本体１４１の内径より大きい内径、つまり、分岐栓本体１３１との間に所定の隙間を有した状態で、分岐栓本体１３１を収納可能なように形成されている。固定ナット１４２の上端部には、分岐栓本体１３１をその内部に配置した際に分岐栓本体１３１に設けられた突部１３７と係合するように、半径方向内側に突出する周状の突部１４３が設けられている。固定ナット１４２における下部の内周面には、雌ネジが形成されている。
【００９１】
外装本体１４１の下方に固定ナット１４２が配置されることによって、外装部材１４０は、全体として筒形状に構成され、また、その内部に分岐栓本体１３１が嵌装される。
【００９２】
戻し部材１７５は、金属素材からなる部材であり、分岐栓１３０を浄水部（浄水装置１０）に接続するための部材である。
また戻し部材１７５は、円柱部１７７と六角部１７８と分岐流路１７６を有する。戻し部材１７５の円柱部１７７は円柱形状に形成され、その六角部１７８は六角柱形状に形成されている。そして、戻し部材１７５は、その円柱部１７７と六角部１７８との互いの軸心を一致させるように円柱部１７７の一側面に六角部１７８が一体的に設けられて構成されている。また、戻し部材１７５の戻し流路１７６は、円柱部１７７と六角部１７８とのそれぞれの軸心を貫通するようにして形成されている。
【００９３】
また、戻し部材１７５における円柱部１７７の外径は、分岐栓本体１３１に形成された第一横孔１３５における外周面近傍の径（大きい径）と略同一の外径となるように形成されている。戻し部材１７５における円柱部１７７の外周面には、雄ネジが形成されている。戻し流路１７６の径は、分岐栓本体１３１に形成された第一横孔１３５における水側流路１３２側の径（小さい径）の径と略同一となるように形成されている。また、戻し部材１７５における六角部１７８の各角には、雄ネジが形成されている。
【００９４】
分岐部材１７０は、金属素材からなる部材であり、分岐栓１３０を浄水部（浄水装置１０）に接続するための部材である。
また、分岐部材１７０は、円柱部１７２と六角部１７３と分岐流路１７１を有する。分岐部材１７０の円柱部１７２は円柱形状に形成され、その六角部１７３は六角柱形状に形成されている。そして、分岐部材１７０は、その円柱部１７２と六角部１７３との互いの軸心を一致させるように円柱部１７２の一側面に六角部１７３が一体的に設けられて構成されている。また、分岐部材１７０の分岐流路１７１は、円柱部１７２と六角部１７３とのそれぞれの軸心を貫通するようにして形成されている。
【００９５】
また、分岐部材１７０における六角部１７３の各角には、雄ネジが形成されている。
分岐部材１７０における円柱部１７２の外径は、分岐栓本体１３１に形成された第二横孔１３６における外周面近傍の径（大きい径）と略同一の外径となるように形成されている。分岐部材１７０における円柱部１７２の外周面には、雄ネジが形成されている。第一分岐流路１７１の径は、分岐栓本体１３１に形成された第二横孔１３６における水側流路１３２側の径（小さい径）の径と略同一となるように形成されている。また、分岐部材１７０における六角部１７３の各角には、雄ネジが形成されている。
【００９６】
以上のようにして構成された、分岐栓本体１３１、外装部材１４０、及び、戻し部材１７５、２つの分岐部材１７０を組み合わせることによって、分岐栓１３０が構成される。以下において、当該組み合わせの手順について具体的に説明する。
分岐栓本体１３１の上方から固定ナット１４２をかぶせて、分岐栓本体１３１と固定ナット１４２とを嵌合させる。
そして、係る状態の分岐栓本体１３１の上方から外装本体１４１をかぶせて、分岐栓本体１３１と外装本体１４１とを嵌合させる。この場合、分岐栓本体１３１が具備する第一開口部１３５ａの位置と外装本体１４１に形成された第一貫通孔１４６の位置とを、分岐栓本体１３１が具備する第二開口部１３６ａの位置と外装本体１４１に形成された第二貫通孔１４７の位置とを、及び、分岐栓本体１３１が具備する第二開口部１３６ｂの位置と外装本体１４１に形成された第三貫通孔１４８の位置とを、それぞれ一致させた状態で両者を嵌合させる。
さらに、戻し部材１７５の一端である円柱部１７７を第一貫通孔１４６に挿入し、且つ、当該戻し部材１７５の円柱部１７７と第一開口部１３５ａとを直接接合する。前記戻し部材１７５の円柱部１７７と第一開口部１３５ａとの接合は、戻し部材１７５に形成された雄ネジと、分岐栓本体１３１における第一横孔１３５に形成された雌ネジとを螺合させることによって行う。この場合、戻し部材１７５の雄ネジと第一横孔１３５の雌ネジとの間は、接着剤等のシール材を介装するなどして水密的にシールされる。
一方の分岐部材１７０の一端である円柱部１７２を第二貫通孔１４７に挿入し、且つ、当該分岐部材１７０の円柱部１７２と第二開口部１３６ａとを直接接合する。前記分岐部材１７０の円柱部１７２と第二開口部１３６ａとの接合は、分岐部材１７０に形成された雄ネジと、分岐栓本体１３１における第二横孔１３６に形成された雌ネジとを螺合させることによって行う。この場合、分岐部材１７０の雄ネジと第二横孔１３６の雌ネジとの間は、接着剤等のシール材を介装するなどして水密的にシールされる。
他方の分岐部材１７０一端である円柱部１７２を第三貫通孔１４８に挿入し、且つ、当分岐部材１７０の円柱部１７２と第二開口部１３６ｂとを直接接合する。分岐部材１７０の円柱部１７２と第二開口部１３６ｂとの接合は、岐接部材１７０の円柱部１７２に形成された雄ネジと、分岐栓本体１３１における第二横孔１３６に形成された雌ネジとを螺合させることによって行う。この場合、分岐部材１７０の雄ネジと第二横孔１３６の雌ネジとの間は、接着剤等のシール材を介装するなどして水密的にシールされる。
このようにして分岐栓本体１３１、外装部材１４０、戻し部材１７５、及び、分岐部材１７０・１７０によって、分岐栓１３０は構成される。
【００９７】
そして、浄水器１Ｂでは、浄水装置１０（浄水部）が、その浄水部側流出流路１０ｂを分岐栓１３０（分岐部）の戻し流路１７６と直接連通させるように、分岐栓１３０（分岐部）に一体的に連結される（図１１及び図１２参照）。
詳細には、浄水装置１０（浄水部）は、その第一接続部材２０のナット部材２２に形成された雌ネジと、分岐栓１３０（分岐部）における戻し部材１７５の六角部１７８に形成された雄ネジとを螺合させてこれらを接合させることによって、分岐栓１３０（分岐部）に一体的に連結される。このように浄水装置１０（浄水部）における第一接続部材２０のナット部材２２と分岐栓１３０（分岐部）における戻し部材１７５の六角部１７８とを接合させることによって、浄水器１Ｂでは、浄水装置１０（浄水部）の浄水部側流出流路１０ｂと、分岐栓１３０（分岐部）の戻し流路１７６とが直接連通することとなる。そして、このように浄水装置１０（浄水部）における第一接続部材２０のナット部材２２と分岐栓１３０（分岐部）における戻し部材１７５の六角部１７８とを接合させることによって、浄水器１Ｂでは、浄水装置１０（浄水部）の浄水部側流出流路１０ｂと分岐栓１３０（分岐部）の分岐部側流入流路とが、分岐栓１３０（分岐部）の戻し流路１７６を介して連通することとなる。
【００９８】
また、浄水器１Ｂでは、浄水装置１０（浄水部）における第二接続部材２５の六角部２７に形成された雄ネジと、ホース３の一端のナットに形成された雌ネジとを螺合させることによってこれらを接合させている。他方、分岐栓１３０（分岐部）における２つの分岐部材１７０・１７０（複数の分岐部材１７０）のうち、図１１に示す側面視において左方の分岐部材１７０の六角部１７３に形成された雄ネジと、ホース３の他端に備えられた分岐コック２のナットに形成された雌ネジとを螺合させることによってこれらを接合させている。即ち、浄水器１Ｂでは、浄水装置１０（浄水部）と分岐栓１３０（分岐部）とは、分岐コック２及びホース３を介して互いに接続されている。
このように浄水装置１０（浄水部）と分岐栓１３０（分岐部）とが分岐コック２及びホース３を介して接続されることにより、浄水器１Ｂでは、浄水装置１０（浄水部）の浄水部側流入流路１０ａと分岐栓１３０（分岐部）の分岐部側流出流路とが、分岐栓１３０（分岐部）の分岐流路１７１、分岐コック２、及びホース３を介して連通することとなる。
【００９９】
以上のようにして構成された浄水器１Ｂは、分岐栓１３０の分岐部材１７０・１７０が左右方向にそれぞれ延出するように且つ浄水装置１０が分岐栓１３０の後方に位置するように、また、分岐栓１３０が、混合水栓本体１９１とカートリッジ１９２との間に配置されるようにして、混合水栓１９０に取付けられる（図１０参照）。
【０１００】
以下において、混合水栓１９０に浄水器１Ｂが取付けられる（本体１９１とカートリッジ１９２との間に分岐栓１３０が配置される）際の手順について具体的に説明する。
まず、混合水栓本体１９１内に設けられた前記湯側流路管と浄水器１Ｂにおける分岐栓本体１３１に形成された湯側流路１３３との位置を、混合水栓本体１９１内に設けられた前記水側流路管と浄水器１Ｂにおける分岐栓本体１３１に形成された水側流路１３２との位置を、及び、混合水栓本体１９１内に設けられた前記混合液流路管と浄水器１Ｂにおける分岐栓本体１３１に形成された混合流路１３４との位置を、それぞれ一致させるようにして、混合水栓本体１９１の上に浄水器１Ｂの分岐栓１３０を載置する。係るように混合水栓本体１９１の上に浄水器１Ｂの分岐栓１３０を載置することで、前期湯側流路管と湯側流路１３３（分岐部側流入流路）とが、前記水側流路管と水側流路１３２（分岐部側流入流路）とが、及び、前記混合液流路管と混合流路１３４（分岐部側流出流路）とが、それぞれ連通されることとなる。
【０１０１】
次に、浄水器１Ｂの分岐栓１３０の固定ナット１４２を分岐栓本体１３１に対して回転して固定ナット１４２における下部の内周面に形成された雌ネジと、混合水栓本体１９１の上部に形成された雄ネジとを螺合させていく。当該雌ネジと雄ネジとを螺合させることにより、分岐栓本体１３１に形成された突部１３７と、固定ナット１４２に形成された突部１４３とが係合され、浄水器１Ｂの分岐栓１３０が、下方に押圧され混合水栓本体１９１に固定されることとなる。
そして、当該浄水器１Ｂの分岐栓１３０の上方に、カートリッジ１９２を載置し、さらにハンドルレバー１９５が取付けられたカバーナット１９３をカートリッジ１９２にかぶせて、カバーナット１９３を外装本体１４１の上端部に螺合することで、浄水器１Ｂにおける分岐栓１３０が混合水栓本体１９１に装着されて、浄水器１Ｂが混合水栓１９０に固定されて取付けられる。
【０１０２】
このように混合水栓１９０に取付けられた浄水器１Ｂでは、その分岐栓１３０のハンドルレバー１９５操作してカートリッジ１９２を閉状態とするとともに、分岐部材１７０に接続される分岐コック２を開状態として、混合水栓１９０の上流側供給流路９２から浄水器１Ｂにおける分岐栓１３０の分岐部側流入流路に原水を流入させることができる。
そして、分岐栓１３０の分岐部側流入流路に流入した原水は、分岐部材１７０の分岐流路１７１から流出し、分岐コック２及びホース３を介して浄水装置１０の浄水部側流入流路１０ａに流入することとなる。
また、浄水装置１０の浄水部側流入流路１０ａに流入した原水は、浄水用カートリッジ１８で浄水とされて、浄水部側流出流路１０ｂに流出し、分岐栓１３０における戻し部材１７５の戻し流路１７６に流入することとなる。
さらに、分岐栓１３０における戻し部材１７５の戻し流路１７６に流入した浄水は、分岐部側流出流路に流入して、混合水栓本体１９１に流入してこれの吐出口から吐出されることなる。
【０１０３】
以上のように浄水器１Ｂは、浄水装置１０（浄水部）が、これの浄水部側流出流路１０ｂを分岐栓１３０（分岐部）の戻し流路１７６と直接連通させるように分岐栓１３０（分岐部）に一体的に連結されて構成される。
このため、浄水器１Ｂでは、これが混合水栓１９０に取付けられた際には、浄水装置１０（浄水部）と分岐栓１３０（分岐部）が一体となって混合水栓１９０の近傍に配置されることとなる。また、浄水装置１０（浄水部）の浄水部側流出流路１０ｂと分岐栓１３０（分岐部）の戻し流路１７６とは、これらが離れて配置されていた場合に必要となるホースを要さずに連通し、浄水装置１０（浄水部）の浄水部側流入流路１０ａと分岐栓１３０（分岐部）の分岐流路１７１とを連通させるホースは極力短く構成されることとなる。
したがって、浄水器１Ｂによれば、浄水器１Ｂ（浄水装置１０及び分岐栓１３０）が配置されたキッチンにおける作業スペースの減少を防止すること、及び、浄水器１Ｂが取付けられて混合水栓１９０周りが繁雑な状態となることを防止することができる。
【０１０４】
また、浄水器１Ｂは、浄水装置１０（浄水部）が分岐栓１３０（分岐部）に一体的に連結されて構成されるため、浄水器１Ｂを混合水栓１９０に取付けるだけで浄水器１Ｂの設置作業が終了することとなる。したがって、浄水器１Ｂによれば、これの設置作業の手間や費用を低減させることができる。
【０１０５】
浄水器１Ｂでは、浄水装置１０（浄水部）と分岐栓１３０（分岐部）とが具備され、その浄水装置１０（又はこれが備える浄水カートリッジ１８）が混合水栓１９０内に配置されることなく、分岐栓１３０が混合水栓１９０に取付けられる構成である。このため、浄水器１Ｂでは、浄水装置１０（浄水部）に浄水能力を高めた比較的大きな浄水用カートリッジ１８を備えることが可能となる。したがって、浄水器１Ｂによれば、安定した浄水能力を長期間にわたって維持して、浄水用カートリッジ１８の交換回数を減らすことができる。
【０１０６】
浄水器１Ｂは、分岐栓１３０の分岐部材１７０・１７０が左右方向に延出するように、また浄水装置１０が分岐栓１３０の後方に位置するように混合水栓１９０に取付けられる。したがって、浄水器１Ａによれば、浄水器１Ｂ（浄水装置１０及び分岐栓１３０）が配置されたキッチンにおける作業スペースの減少をより防止すること、及び、浄水器１Ｂが取付けられて混合水栓１９０周りが繁雑な状態となることをより防止することができる。
【０１０７】
また、浄水器１Ｂでは、その分岐栓１３０は、二つ（複数個）の分岐部材１７０・１７０、つまり、２つ（複数個）の分岐流路１７１・１７１を有し、その浄水装置１０（浄水部）は、浄水部側流入流路１０ａを、複数個の分岐流路１７１・１７１のうち一つの分岐流路１７１と直接連通させるように、分岐栓１３０（分岐部）に一体的に連結される。このように、分岐流路１７１・１７１が複数個（２つ）備えられることにより、浄水器１Ｂでは、一方の分岐部材１７０を浄水装置１０に接続したまま、他方の分岐部材１７０に他の外部接続機器（例えば、食洗機）を増設して、当該他方の分岐部材１７０の分岐流路１７１と当該他の外部接続機器とを連通させることができ、浄水器１Ｂの使い勝手を向上させ、利便性を向上させることがでる。
【０１０８】
また、浄水器１Ｂでは、その分岐栓１３０のハンドルレバー１９５操作してカートリッジ１９２を閉状態とするとともに、分岐部材１７０に接続される分岐コック２を開状態とすることで、分岐栓１３０の分岐部側流入流路に流入した原水を、分岐部材１７０の分岐流路１７１から流出させずに、分岐部側流出流路に流出させ、混合水栓１９０の吐出口から吐出させることができる。即ち、浄水器１Ｂでは、分岐栓１３０の分岐部側流入流路に流入した原水を、浄水装置１０に流入させないで、原水の状態で混合水栓１９０の吐出口から吐出させることがでる。
したがって、浄水器１Ｂによれば、使用用途によって原水か浄水かを選択してこれを混合水栓１９０の吐出口から吐出させることができ、ひいては浄水カートリッジ１８の交換回数を減らすことがでる。
さらに、浄水器１Ｂによれば、仮に浄水用カートリッジ１８の交換時期が過ぎている場合であっても、浄水カートリッジ１８を経由することなく、原水を混合水栓１９０の吐出口から吐出することができるため、混合水栓１９０の吐出口から吐出される原水の衛生状態を保持することができる。
【０１０９】
また、浄水器１Ａ・１Ｂでは、浄水装置１０（浄水部）が、その浄水部側流出流路１０ｂを分岐栓３０・１３０（分岐部）の戻し流路７６・１７６と直接連通させるように、分岐栓３０・１３１（分岐部）に一体的に連結されているが、本発明のように浄水部と分岐部とを具備する浄水器では、浄水部が、その浄水部側流入流路を分岐部の分岐流路と直接連通させるように分岐部に一体的に連結されるような構成とすることもできる。
【符号の説明】
【０１１０】
１Ａ・１Ｂ  浄水器
９  水栓
１０  浄水装置
１０ａ  浄水部側流入流路
１０ｂ  浄水部側流出流路
１８  カートリッジ
３０  分岐栓
３０ａ  分岐部側流入流路
３０ｂ  分岐部側流出流路
７１  分岐流路
７６  戻し流路
１３０  分岐栓
１７１  分岐流路
１７６  戻し流路
【図１】
2011036813.tif 000003
【図２】
2011036813.tif 000004
【図３】
2011036813.tif 000005
【図４】
2011036813.tif 000006
【図５】
2011036813.tif 000007
【図６】
2011036813.tif 000008
【図７】
2011036813.tif 000009
【図８】
2011036813.tif 000010
【図９】
2011036813.tif 000011
【図１０】
2011036813.tif 000012
【図１１】
2011036813.tif 000013
【図１２】
2011036813.tif 000014
【図１３】
2011036813.tif 000015
【図１４】
2011036813.tif 000016
【図１５】
2011036813.tif 000017